(57)【要約】【課題】空気吸込口を前面と上面に供えた室内機に、取り扱い易く、低コストで製造可能な平板状のフィルタが簡単に、しかも確実に装着できるようにする。【解決手段】  前面と上面には空気吸込口４が開口し、送風機２と熱交換器３とを備えた本体部１に着脱自在に装着される逆Ｌ字状グリル部材６は、裏面側には補強材として機能し、且つ、フィルタ１３の支持台としても機能する、複数の縦桟７と、複数の横桟８を設けると共に、縦桟７より背の高い縦桟９を、最も外側の左右２本の縦桟７のさらに外側部分と、中央部分の２本の縦桟７の外側とに設け、空気吸込口４に臨み隣接する縦桟７同士の前面部分と上面部分には空気通過孔１０を開口し、裏面側上端部分と下端部分に設けたフィルタ固定手段１１、１２により、外側の縦桟９（Ｏ）と内側の縦桟９（Ｉ）との間に挿入するフィルタ１３を着脱自在に固定するようにした。【選択図】  図２
2005188832.tif 000002
【特許請求の範囲】
【請求項１】
前面および上面に空気吸込口が開口し熱交換器および送風機が内在する本体部と、本体部の空気吸込口に対応する空気通過孔が前面および上面に開口し側面形状が逆Ｌ字状に形成されて本体部に着脱可能に装着される逆Ｌ字状グリル部材と、空気通過孔に臨んで逆Ｌ字状グリル部材の内面側に着脱可能に装着され、逆Ｌ字状グリル部材が本体部に装着されたときに本体部の空気吸込口の前方に配設されるフィルタとを備えた空気調和機の室内機において、逆Ｌ字状グリル部材の内面側に複数の縦桟をその間に空気通過孔が介在すべくフィルタの左右方向寸法より僅かに離間して配設すると共に、フィルタの下端が進入可能に形成されてフィルタの下端側を受け止め固定するフィルタ下側固定手段と、フィルタの上端が進入可能に形成されてフィルタの上端側を受け止め固定するフィルタ上側固定手段とを、複数の縦桟同士の間に介在し、且つ、逆Ｌ字状グリル部材の内面側凹曲面に沿った離間寸法がフィルタの上下方向寸法より僅かに接近して配設したことを特徴とする空気調和機の室内機。
【請求項２】
フィルタ下側固定手段、フィルタ上側固定手段の少なくとも一方のフィルタ端部が進入する部分は、入口から奥に至るほど狭隘に形成されたことを特徴とする請求項１記載の空気調和機の室内機。
【発明の詳細な説明】
【技術分野】
【０００１】
本発明は、室外に設置される室外機と共同して室内空気の温度調節などに供される空気調和機の室内機に関するものである。
【背景技術】
【０００２】
この種の室内機の内、室内の壁面に掛置き設置され、吸い込んだ室内空気を熱交換器で温度調節などして室内に戻し、室内の温度調節などを行うタイプの室内機においては、例えば図３に示したように空気吸込口を前面と上面の２箇所に備えたものが近年増加している（例えば、特許文献１参照。）。
【０００３】
すなわち、図３に示した構成の室内機においては、送風機２の前方と上方に伝熱管と伝熱フィンが位置するように熱交換器３を逆Ｖ字状に配置し、送風機２の運転により、前ケース２０の前面側と上面側に開設してある空気吸込口４から吸い込んだ室内空気を略逆Ｖ字状に配置した熱交換器３の部分を通過させ、図示しない室外機から供給されて熱交換器３の伝熱管内を流れる冷媒により室内空気の加熱・冷却などを行い、その温度調節した空気を空気吹出口５から室内に戻して空調を行うようになっている。
【特許文献１】特開２００２−１５６１５５号
【発明の開示】
【発明が解決しようとする課題】
【０００４】
特許文献１に提案された空気調和機の室内機においては、前ケース２０の空気吸込口４と熱交換器３との間に介在し、空気吸込口４から吸い込んだ室内空気の塵埃を取り除くためのフィルタ１３には湾曲部１３Ｘを設けて、前ケース２０と熱交換器３との間にフィルタ１３が確実に装着できるようになっている。
【０００５】
しかし、湾曲部１３Ｘを備えたフィルタ１３は製造工程が複雑化して製造コストの増加を招くだけでなく、取り扱い難いと云った問題点があった。そのため、取り扱い易く、低コストで製造可能な平板状のフィルタであっても、空気吸込口を前面と上面に供えた室内機に簡単に、且つ、確実に装着できるようにする必要があり、それが解決すべき課題となっていた。
【課題を解決するための手段】
【０００６】
本発明は上記従来技術の課題を解決するため、前面および上面に空気吸込口が開口し熱交換器および送風機が内在する本体部と、本体部の空気吸込口に対応する空気通過孔が前面および上面に開口し側面形状が逆Ｌ字状に形成されて本体部に着脱可能に装着される逆Ｌ字状グリル部材と、空気通過孔に臨んで逆Ｌ字状グリル部材の内面側に着脱可能に装着され、逆Ｌ字状グリル部材が本体部に装着されたときに本体部の空気吸込口の前方に配設されるフィルタとを備えた空気調和機の室内機において、逆Ｌ字状グリル部材の内面側に複数の縦桟をその間に空気通過孔が介在すべくフィルタの左右方向寸法より僅かに離間して配設すると共に、フィルタの下端が進入可能に形成されてフィルタの下端側を受け止め固定するフィルタ下側固定手段と、フィルタの上端が進入可能に形成されてフィルタの上端側を受け止め固定するフィルタ上側固定手段とを、複数の縦桟同士の間に介在し、且つ、逆Ｌ字状グリル部材の内面側凹曲面に沿った離間寸法がフィルタの上下方向寸法より僅かに接近して配設することを主要な特徴とするものである。
【発明の効果】
【０００７】
本発明によれば、フィルタを逆Ｌ字状グリル部材の複数の縦桟同士の間に位置させて、上下何れか一方の端部を対応する側のフィルタ固定手段に押し当て、フィルタ自体を多少撓ませながら他端を残余のフィルタ固定手段に押し当てるだけで、逆Ｌ字状グリル部材の内面側に確実に装着することができる。
【発明を実施するための最良の形態】
【０００８】
前面および上面に空気吸込口が開口し熱交換器および送風機が内在する本体部と、本体部の空気吸込口に対応する空気通過孔が前面および上面に開口し側面形状が逆Ｌ字状に形成されて本体部に着脱可能に装着される逆Ｌ字状グリル部材と、空気通過孔に臨んで逆Ｌ字状グリル部材の内面側に着脱可能に装着され、逆Ｌ字状グリル部材が本体部に装着されたときに本体部の空気吸込口の前方に配設されるフィルタとを備えた空気調和機の室内機において、逆Ｌ字状グリル部材の内面側に複数の縦桟をその間に空気通過孔が介在すべくフィルタの左右方向寸法より僅かに離間して配設すると共に、その複数の縦桟同士の間に介在し、少なくとも上下何れか一方はフィルタ端部の挿入によりフィルタ端部を固定する凹部が入口から奥に至るほど狭隘に形成されたフィルタ上側固定手段とフィルタ下側固定手段とを、逆Ｌ字状グリル部材の内面側凹曲面に沿った離間寸法がフィルタの上下方向寸法より僅かに接近して上下に配設するようにした空気調和機の室内機。
【実施例１】
【０００９】
本発明の一実施例を、図１および図２に基づいて説明する。なお、理解を容易にするため、これらの図面においても前記図３において説明した部分と同様の機能を有する部分には、同一の符号を付した。
【００１０】
本発明の室内機１００においても、図１（Ｂ）に示すように本体部１の内部には送風機２と熱交換器３とが備えられている。そして、熱交換器３はその伝熱管と伝熱フィンとが送風機２の前方と上方に位置するように逆Ｖ字状に配置されて、熱交換器３を流れる冷媒と、室内から取り込んだ空気との熱交換効率を高められている。
【００１１】
また、合成樹脂からなる本体部１の熱交換器３に臨む前面と上面には空気吸込口４が開口すると共に、下部側には空気吹出口５が開口可能に設けられ、室内機１００と共に空気調和機を構成する図示しない室外機から供給されて、熱交換器３の伝熱管３Ａ内を流れる冷媒と熱交換して冷却・加熱などした空気を室内に戻して空調に供することができるようになっている。
【００１２】
上記のように構成された本体部１には、その前面部と上面部を覆うように合成樹脂製の逆Ｌ字状グリル部材６が着脱自在に装着されている。そして、この逆Ｌ字状グリル部材６の裏面側には、逆Ｌ字状グリル部材６の補強材として機能し、且つ、フィルタ１３の支持台としても機能する、複数の縦桟７と、それより低い複数の横桟８とが設けられている。
【００１３】
この実施例の逆Ｌ字状グリル部材６には、図２に示したように８本の縦桟７が設けられている。また、この８本の縦桟７より背の高い４本の縦桟９が図示したように、すなわち最も外側の左右２本の縦桟７のさらに外側部分と、中央部分の２本の縦桟７の外側（中央部分の２本の縦桟７により挟まれる側）とに設けられている。
【００１４】
なお、４本の縦桟９は、外側の左右の２本の縦桟９（Ｏ）と、内側の縦桟９（Ｉ）との間は、左右とも同じ間隔に形成されている。そして、本体部１の空気吸込口４に臨む逆Ｌ字状グリル部材６の隣接する縦桟７同士の前面部分と上面部分には空気通過孔１０が開口している。
【００１５】
また、逆Ｌ字状グリル部材６の裏面側上端部分にはフィルタ上側固定手段１１が、裏面側下端部分にはフィルタ下側固定手段１２が設けられている。フィルタ固定手段１１は凹部１１Ａを、フィルタ固定手段１２は凹部１２Ａを備え、その凹部１１Ａ、１２Ａが互いに対向するように配置されて、外側の縦桟９（Ｏ）と内側の縦桟９（Ｉ）の間にそれぞれ２個づつ設けられている。なお、フィルタ下側固定手段１２の凹部１２Ａは、入口側が広く、奥に行くほど狭く形成されている。
【００１６】
フィルタ１３は、横寸法は外側の縦桟９（Ｏ）と内側の縦桟９（Ｉ）との離間寸法より僅かに、例えば１〜２ｍｍ程度小さく形成され、縦寸法は逆Ｌ字状グリル部材６の内面側凹曲面に沿った離間寸法、具体的には縦桟７が存在する部位では縦桟７の表面に沿って計測したフィルタ上側固定手段１１とフィルタ下側固定手段１２との離間寸法より僅かに、例えば１〜２ｍｍ程度大きく形成されて、上下何れか、例えば先ず上端側がフィルタ上側固定手段１１の凹部１１Ａに嵌め込まれ、次にフィルタ１３自体を多少撓ませながら下端側がフィルタ下側固定手段１２の凹部１２Ａに嵌め込まれて、外側の縦桟９（Ｏ）と内側の縦桟９（Ｉ）との間に着脱自在に装着されている。
【００１７】
したがって、逆Ｌ字状グリル部材６に装着されたフィルタ１３は、横方向の移動が縦桟９により規制され、上下方向の移動はフィルタ上側固定手段１１とフィルタ下側固定手段１２により規制される。そして、フィルタ１３の弾性によりフィルタ１３の前面側が、縦桟７、横桟８などに当接するので、搬送時や使用中にガタツクことがない。
【００１８】
また、縦桟７は横桟８より高く、縦桟９より低く設けられているので、フィルタ１３を縦桟９（Ｏ）と縦桟９（Ｉ）との間でその一端を縦桟７に沿わせてスライドし、フィルタ上側固定手段１１の凹部１１Ａまたはフィルタ下側固定手段１２の凹部１２Ａに嵌め込む際に、先端部分が横桟８にぶつかって装着し難いと云った不都合はないし、左右両端部は縦桟９（Ｏ）と縦桟９（Ｉ）とで案内され、装着位置が横方向にずれることもない。
【００１９】
一方、逆Ｌ字状グリル部材６に装着されているフィルタ１３は、上下何れか、例えば下端側を上端側に押してフィルタ１３を少し撓ませるだけで、下端がフィルタ下側固定手段１２の凹部１２Ａから抜けるので、逆Ｌ字状グリル部材６に装着されているフィルタ１３を簡単に取り外すことができる。
【００２０】
なお、本発明は上記実施形態に限定されるものではないので、特許請求の範囲に記載の趣旨から逸脱しない範囲で各種の変形実施が可能である。
【００２１】
例えば、フィルタ上側固定手段１１の凹部１１Ａをフィルタ下側固定手段１２の凹部１２Ａと同様の形状に変更する、あるいは、フィルタ上側固定手段１１の凹部１１Ａをフィルタ下側固定手段１２の凹部１２Ａと同様の形状に変更し、フィルタ上側固定手段１２の凹部１２Ａをフィルタ下側固定手段１１の凹部１１Ａと同様の形状に変更する。
例えば、フィルタ上側固定手段１１の凹部１１Ａも、フィルタ下側固定手段１２の凹部１２Ａと同様の形状にすることができる。
【００２２】
また、フィルタ固定手段１１の凹部１１Ａも、フィルタ固定手段１２の凹部１２Ａと同様の形状に設けることも可能である。
【図面の簡単な説明】
【００２３】
【図１】本発明室内機の説明図であり、（Ａ）は外観の説明図、（Ｂ）は内部の説明図である。
【図２】本発明室内機の要部の説明図であり、（Ａ）はフィルタが外されている状態、（Ｂ）はフィルタが装着されている状態の説明図である。
【図３】従来技術の説明図であり、（Ａ）は内部の説明図、（Ｂ）はフィルタの説明図である。
【符号の説明】
【００２４】
１  本体部
２  送風機
３  熱交換器
４  空気吸込口
５  空気吹出口
６  逆L字状グリル部材
７  縦桟
８  横桟
９  縦桟
１０  空気通過孔
１１  フィルタ上側固定手段
１１Ａ  凹部
１２  フィルタ下側固定手段
１２Ａ  凹部
１３  フィルタ
１３Ｘ  湾曲部
２０  前ケース
【図１】
2005188832.tif 000003
【図２】
2005188832.tif 000004
【図３】
2005188832.tif 000005